【手続補正書】
【提出日】平成18年6月27日(2006.6.27)
【手続補正１】
【補正対象書類名】明細書
【補正対象項目名】発明の名称
【補正方法】変更
【補正の内容】
【発明の名称】制御システム及び制御装置
【手続補正２】
【補正対象書類名】明細書
【補正対象項目名】特許請求の範囲
【補正方法】変更
【補正の内容】
【特許請求の範囲】
【請求項１】  少なくとも１つの表示要素を有し、複数の表示レベルに対応した表示形態を有する操作パネルのデータを送信する被制御装置と、
前記操作パネルを用いて被制御装置を制御する制御装置とを有し、
前記制御装置は、前記被制御装置から前記操作パネルのデータを受信する受信手段と、前記操作パネルの表示形態を前記表示レベルに応じて変更する変更手段とを有することを特徴とする制御システム。
【請求項２】  前記制御装置は、前記表示レベルに応じて前記操作パネルの表示領域を変更することを特徴とする請求項１に記載の制御システム。
【請求項３】  前記制御装置は、前記表示レベルに応じて前記操作パネルに含まれる表示要素の数を変更することを特徴とする請求項１または２に記載の制御システム。
【請求項４】  前記制御装置は、前記操作パネルが操作されてから所定時間経過した後、前記表示レベルを変更することを特徴とする請求項１から３のいずれかに記載の制御システム。
【請求項５】  前記制御装置は、前記操作パネルとともに、前記表示レベルを上げるための表示要素を表示することを特徴とする請求項１から４のいずれかに記載の制御システム。
【請求項６】  前記制御装置は、操作された表示要素に対する操作の種類を前記被制御装置に送信することを特徴とする請求項１から５のいずれかに記載の制御システム。
【請求項７】  前記被制御装置は、前記表示要素に対する操作の種類に応じて、前記表示要素に対応する機能を制御することを特徴とする請求項１から６のいずれかに記載の制御システム。
【請求項８】  前記表示要素は、複数の異なる表示形態を有し、前記表示要素に対する操作に応じて前記表示要素の表示形態を変更することを特徴とする請求項１から７のいずれかに記載の制御システム。
【請求項９】  前記表示要素は、画像、文字の少なくとも１つを含むことを特徴とする請求項１から８のいずれかに記載の制御システム。
【請求項１０】  前記制御装置は、前記制御装置を遠隔操作するリモートコントロールユニットを用いて前記操作パネルを操作することを特徴とする請求項１から９のいずれかに記載の制御システム。
【請求項１１】  前記被制御装置と前記制御装置とは、第１の通信媒体に接続され、前記制御装置と前記リモートコントロールユニットとは、第２の通信媒体に接続されていることを特徴とする請求項１０に記載の制御システム。
【請求項１２】  前記被制御装置は、ビデオレコーダであることを特徴とする請求項１から１１のいずれかに記載の制御システム。
【請求項１３】  前記制御装置は、画像情報を表示する表示機器であることを特徴とする請求項１から１２のいずれかに記載の制御システム。
【請求項１４】  少なくとも１つの表示要素を有し、複数の表示レベルに対応した表示形態を有する操作パネルを用いて被制御装置を制御する制御装置であって、
前記被制御装置から前記操作パネルのデータを受信する受信手段と、
前記操作パネルの表示形態を前記表示レベルに応じて変更する変更手段とを有することを特徴とする制御装置。
【請求項１５】  前記表示レベルに応じて前記操作パネルの表示領域を変更することを特徴とする請求項１４に記載の制御装置。
【請求項１６】  前記表示レベルに応じて前記操作パネルに含まれる表示要素の数を変更することを特徴とする請求項１４または１５に記載の制御装置。
【請求項１７】  前記操作パネルが操作されてから所定時間経過した後、前記表示レベルを変更することを特徴とする請求項１４から１６のいずれかに記載の制御装置。
【手続補正３】
【補正対象書類名】明細書
【補正対象項目名】０００１
【補正方法】変更
【補正の内容】
【０００１】
【発明の属する技術分野】
本発明は、ネットワーク上の機器を遠隔操作するのに適した制御システム及び制御装置に関する。
【手続補正４】
【補正対象書類名】明細書
【補正対象項目名】０００９
【補正方法】変更
【補正の内容】
【０００９】
そこで、本発明は、ネットワーク上の機器を簡単な操作手順で遠隔操作することのできる操作環境を提供することを目的とする。
また、本発明は、視覚的に理解しやすく、表示画面を有効に利用することのできる操作環境を提供することを目的とする。
【手続補正５】
【補正対象書類名】明細書
【補正対象項目名】００１０
【補正方法】変更
【補正の内容】
【００１０】
【課題を解決するための手段】
本発明に係る制御システムは、例えば、少なくとも１つの表示要素を有し、複数の表示レベルに対応した表示形態を有する操作パネルのデータを送信する被制御装置と、前記操作パネルを用いて被制御装置を制御する制御装置とを有し、前記制御装置は、前記被制御装置から前記操作パネルのデータを受信する受信手段と、前記操作パネルの表示形態を前記表示レベルに応じて変更する変更手段とを有することを特徴とする。
【手続補正６】
【補正対象書類名】明細書
【補正対象項目名】００１１
【補正方法】変更
【補正の内容】
【００１１】
本発明に係る制御装置は、例えば、少なくとも１つの表示要素を有し、複数の表示レベルに対応した表示形態を有する操作パネルを用いて被制御装置を制御する制御装置であって、前記被制御装置から前記操作パネルのデータを受信する受信手段と、前記操作パネルの表示形態を前記表示レベルに応じて変更する変更手段とを有することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
【発明の実施の形態】
以下、本発明の実施の形態について図面を用いて詳細に説明する。
（第１の実施の形態）
図１は、本実施の形態の情報処理システムの構成を示すブロック図である。
図１において、１０１はディジタルテレビ受像機等の表示装置である。１０２は表示装置を遠隔操作するためのリモートコントロールユニット（以下、リモコン）であり、ユーザーの操作入力を表示装置１０１に対して無線送信する。
【手続補正１９】
【補正対象書類名】図面
【補正対象項目名】図１
【補正方法】変更
【補正の内容】
【図１】
2001024685.tif 000001